(57)【特許請求の範囲】
【請求項１】
接続すべき金属材の一方の管体端部に前記一方の管体とは異種の金属材の他方の管体端部を対向せしめて連結するに当り、前記した一方の管体端部に導電性のソケット部材を取付け、該ソケット部材における他方の管体端部を受入れるようにした接合端部に非導電性のパッキングを収容した導電性の分割ハウジングを係止せしめ、しかも前記接合端部の内面および先端部に非導電性の一連の被覆スリーブを装着し、
前記他方の管体端部は、前記接合端部に沿って軸線方向に前記ソケット部材に挿入可能な単一の円筒形状の端部を有し、
前記一連の被覆スリーブは、前記接合端部の前記内面に装着された内面部位と前記内面部位から外方へ折れ曲がり前記先端部に装着された先端部位とが一体的に前記接合端部に装着されており、
前記内面部位が前記他方の管体端部の外周面との間に隙間が形成されており、
前記分割ハウジングの軸方向の前端部は前記接合端部に装着された前記被覆スリーブと前記ソケット部材の端部とを前記ソケット部材の外側から押圧し、前記分割ハウジングの軸方向の後端部は前記他方の管体端部と前記パッキングの端部とを前記パッキングの外側から押圧し、
前記パッキングは、前記一連の被覆スリーブと前記パッキングと前記分割ハウジングとのうちで、前記パッキングのみが前記他方の管体端部の外周面に接触するように、前記パッキングに収容されている
ことを特徴とした管体防食接手。
【請求項２】
ソケット部材の一端側に接続すべき一方の管体端部をその長さ方向にそって受入れる管端収容部を形成し、該管端収容部と上記した一方の管体との間にスペーサおよび係止材を配設したことを特徴とした請求項１に記載の管体防食接手。
【請求項３】
接続すべき一方の管体端部に連結フランジを形成し、該一方の管体端部に取付けられたソケット部材が該連結フランジに対設されたフランジ部を備え、該フランジ部と上記連結フランジとを連結ボルトで緊締したことを特徴とした請求項１に記載の管体防食接手。
【発明の詳細な説明】
【０００１】
【発明の属する技術分野】
本発明は管体防食接手に係り、金属管接続部において的確な接続連結を図ると共に有効な異種金属部材間電位差に原因した腐食の防止を図った接手機構を提供しようとするものである。
【０００２】
【従来の技術】
金属管管体を同じく金属質の接手部体によって連結することは従来から広く採用されて来たところであるが、接続すべき金属管自体が鋳鉄管と不銹鋼管あるいは圧延鋼管、アルミニウム系その他の軽金属管などのように材質を異にしたものとなる場合があり、このような場合には接続された異種金属間の電位差によって腐食が発生し、短期間内における発錆や腐食による貫通孔や腐食生成物による体積膨脹などの損傷原因を来すので、斯うした異種金属間の電位差による通電を阻止することについては従来からそれなりの対策が講ぜられている。
【０００３】
即ち上記のような防食手法として従来採用されているものは、特別な絶縁部材や絶縁処理をなし、あるいはそれなりの厚膜とした絶縁塗装の如きが検討されている。
【０００４】
【発明が解決しようとする課題】
ところが前記したような従来技術によるものでは絶縁部材ないし絶縁処理が相当に大型化したものとならざるを得ないことからコストアップとなり、また腐食速度を決定する有害イオンの多い条件下においては発錆が短期間に生じ頻繁な塗り替えや交換を必要とするなどの不利がある。またそれなりに大型な部材ないし広大な修復処理を必要とすることからこれらの関係からもコストアップとならざるを得ない欠点を有している。
【０００５】
【課題を解決するための手段】
本発明は上記したような従来技術における課題を解消することについて検討を重ね、比較的小型なゴムスリーブ部材を用いることにより接続された異種管体間の電位差による腐食を有効に防止することに成功したものであって、以下の如くである。
【０００６】
(1)   接続すべき一方の管体端部に他方の管体端部を対向せしめて連結するに当り、前記した一方の管体端部にソケット部材を取付け、該ソケット部材における他方の管体端部を受入れるようにした接合端部にパッキングを収容した分割ハウジングを係止せしめ、しかも前記接合端部の内面および先端部に一連の被覆スリーブを装着したことを特徴とした管体防食接手。
【０００７】
(2)   ソケット部材の一端側に接続すべき一方の管体端部をその長さ方向にそって受入れる管端収容部を形成し、該管端収容部と上記した一方の管体との間にシール材および係止材を配設したことを特徴とした前記（１）項に記載の管体防食接手。
【０００８】
(3)   接続すべき一方の管体端部に連結フランジを形成し、該一方の管体端部に取付けられたソケット部材が該連結フランジに対設されたフランジ部を備え、該フランジ部と上記連結フランジとを連結ボルトで緊締したことを特徴とした前記（１）項に記載の管体防食接手。
【０００９】
【作用】
接続すべき一方の管体端部に他方の管体端部を対向せしめて連結するに当り、前記した一方の管体端部にソケット部材を取付け、該ソケット部材における他方の管体端部を受入れるようにした接合端部にパッキングを収容した分割ハウジングを係止せしめたことにより接続すべき両管体を適切に連結シールせしめる。
【００１０】
前記接合端部の内面および先端部に一連の被覆スリーブを装着したことによって前記ソケット部材および一方の管体と他方の管体とを電気的に有効に遮断シールせしめ、異種金属部材である一方の管体と他方の管体との間における電位差に原因した発錆や腐食を有効に防止せしめる。
【００１１】
ソケット部材の一端側に接続すべき一方の管体端部をその長さ方向にそって受入れる管端収容部を形成し、該管端収容部と上記した一方の管体との間にシール材および係止材を配設したことにより一方の管体外面に平行状態のソケット部材により上述したような異種金属部体間電位差に原因した発錆や腐食防止と両管体の接続、連結を共に達成せしめる。
【００１２】
また接続すべき一方の管体端部に連結フランジを形成し、該一方の管体端部に取付けられたソケット部材が該連結フランジに対設されたフランジ部を備え、該フランジ部と上記連結フランジとを連結ボルトで緊締したことによって比較的短小で且つ簡易な接手機構により上記同様に異種金属部体間電位差に原因した発錆や腐食防止と両管体の接続連結を的確に達成させる。
【００１３】
【発明の実施の形態】
上記したような本発明によるものの具体的な実施態様を添附図面に示すものについて説明すると、図１と図２には上述したような本発明による基本的な実施態様の１つが示され、接続すべき両管体の一方は比較的厚肉のダクタイル鋳鉄管１１であるのに対し、他方の管体は比較的薄肉のＳＵＳ系不銹鋼管１２であるが、鋳鉄管１１の端部に対し不銹鋼管１２の端部が一部挿入された状態で組付けられ、鋳鉄管１１の外側に取付けられたソケット部体１は緊締子１３によって定着されると共に係接手段１４および係止部１５によって係止され且つスペーサ１６によって一定の間隔を保持するようにされている。
【００１４】
また不銹鋼管１２側に突出した異径部２１は外径がそれなりに小となっている該不銹鋼管１２に近接して位置せしめられ、該異径部２１にはＳＢＲなどのゴムまたは合成樹脂による被覆スリーブ４が内面および先端面に被覆するように設定され、しかも異径部２１の外面に形成された係止部２０に分割ハウジング２、２の一端に設けられた係合部２２は前記ソケット部材１の異径部２１における係止溝２３に係合している。
【００１５】
上記した分割ハウジング２，２は図２に示すように２つ割りに形成されたもので、両端がボルト、ナットのような緊締手段１９で緊締され、その内部にパッキング３を収容設定するもので、該パッキング３は両端にリップ部３１，３１を形成し、中間で突出部３２を形成すると共にリップ部３１と中間突部３２との間に凹入部３３を形成したもので、分割ハウジング２，２内に安定に収容セットされ、しかも中間突部３２の一側面が前記した被覆スリーブ４の端部に接合し、該被覆スリーブ４の安定なセット状態を形成維持するように成っている。
【００１６】
図３と図４には本発明によるもう１つの鋳鉄管１１側に連結フランジ部１０を形成し、また図１，２のものにおけるソケット部材１に代えてフランジ状ソケット部材１７を採用して比較的短小な範囲において同様に本発明の目的を達成するようにした構成が示されている。
【００１７】
即ち、前記連結フランジ１０とフランジ状ソケット部材１７とはそれらのフランジ部周側部分に等角状に配設された緊締手段１８，１８によって緊締連結され、一方のフランジ部（図示では連結フランジ１０側）に設けられたシール材６を緊圧してシール連結するように成っている。分割ハウジング２，２が緊締手段１９によって緊締連結されることは図１，２のものと同じであり、ハウジング２，２内におけるパッキング３の構成ないし設定関係およびフランジ状ソケット部材１７における異径状延出部２１に対する被覆スリーブ４の設定関係ないしパッキング３との取合関係は図１，２に示したものと同様である。
【００１８】
つまり、この図３，４に示すものは連結フランジ１０とフランジ状ソケット部材１７が大径状に管体１１，１２の径方向に突出するが、本発明の機構を採用するための管体軸方向における長さ範囲は図１，２に示したものに対し、著しく短縮された構成となることは図示の通りであって、図１、２のものとこの図３、４のものは夫々の利用条件に即応せしめて適宜に選ばれる。
【００１９】
【発明の効果】
以上説明したような本発明によるときはこの種管路を形成する管体間において異種金属が採用され、それら異種金属間の電位差によって発生する通電を比較的短小な接手機構内のパッキング部の如き、ハウジング部材でカバーされた条件下の限定された構成により有効に阻止し、該通電による腐食ないし発錆を適切に防止し得るものであって、大型且つ特別な構成を必要としないものであるから工業的にその効果の大きい発明である。
【００２０】
特に本発明によるものは接続された管体の軸方向ないし径方向において殊更に突出することのない一般的な接手部としての限定された範囲内において所期の目的を達することができ、それぞれの施工現場における設定条件に対し有効に即応した構成により前記目的を達成し得るものであるから設定施工上における効果が大きい。
【図面の簡単な説明】
【図１】本発明による実施態様の１つを示した部分切欠側面図である。
【図２】図１に示したものの端面図である。
【図３】本発明によるもう１つの実施態様を示した図１と同様な部分切欠側面図である。
【図４】図３に示したものの図２と同様な端面図である。
【符号の説明】
１    ソケット部材
２    分割ハウジング
３    パッキング
４    被覆スリーブ
５    管端収容部
６    シール材
７    係止部材
８    接合端部
９    被覆スリーブ
１０  連結フランジ
１１  鋳鉄管
１２  不銹鋼管
１３  緊締子
１４  係接手段
１５  係止部
１６  スペーサ
１７  フランジ状ソケット部材
１８  緊締手段
１９  緊締手段
２１  異径部
２２  係合部
２３  係止溝
３１  リップ部
３２  中間突部
３３  凹入部
【図１】
0004413322.tif 000002
【図２】
0004413322.tif 000003
【図３】
0004413322.tif 000004
【図４】
0004413322.tif 000005